【手続補正書】
【提出日】平成20年9月1日(2008.9.1)
【手続補正１】
【補正対象書類名】明細書
【補正対象項目名】特許請求の範囲
【補正方法】変更
【補正の内容】
【特許請求の範囲】
【請求項１】ポリカーボネート系樹脂（Ａ）９９．５〜５０重量％と液晶性樹脂（Ｂ）０．５〜５０重量％とからなる樹脂組成物からなり、ポリカーボネート系樹脂単体のガラス転移温度に対する薄肉情報記録媒体の部品用樹脂組成物のガラス転移温度の変化率が５％未満であって、最大面の投影面積が３０００ｍｍ２以下厚さ３ｍｍ以下のサイズからなる薄肉情報記録媒体の部品用成形品。
【請求項２】ポリカーボネート系樹脂（Ａ）９９．５〜５０重量％と液晶性樹脂（Ｂ）０．５〜５０重量％からなる樹脂組成物１００重量部に対し、リン酸エステルを０．１〜３０重量部配合してなる請求項１に記載の薄肉情報記録媒体の部品用成形品。
【請求項３】ポリカーボネート系樹脂（Ａ）がフェノール性末端基（ＥP）と非フェノール性末端基（ＥN）の当量比（ＥP）／（ＥN）が１／２０以下のものを用いることを特徴とする請求項１または２に記載の薄肉情報記録媒体の部品用成形品。
【請求項４】成形品厚みが０．６ｍｍ以下の部分の投影面積が全投影面積に対して２０％以上であることを特徴とする請求項１〜３のいずれか記載の薄肉情報記録媒体の部品用成形品。
【請求項５】薄肉情報記録媒体のシャーシまたはフレーム、ケースである請求項１〜４のいずれか記載の薄肉情報記録媒体の部品用成形品。
【請求項６】請求項１〜５のいずれか記載の成形品が射出成形によって得られたものである薄肉情報記録媒体の部品用成形品。
【手続補正２】
【補正対象書類名】明細書
【補正対象項目名】発明の名称
【補正方法】変更
【補正の内容】
【発明の名称】薄肉情報記録媒体の部品用成形品
【手続補正３】
【補正対象書類名】明細書
【補正対象項目名】０００１
【補正方法】変更
【補正の内容】
【０００１】
【発明の属する技術分野】
本発明は、寸法安定性、耐折れ曲げ性、低そり性に優れ、さらに生産性良好な薄肉情報記録媒体の部品用成形品に関するものである。
【手続補正４】
【補正対象書類名】明細書
【補正対象項目名】０００５
【補正方法】変更
【補正の内容】
【０００５】
そこで本発明は上記の問題を解決し、寸法安定性、耐折れ曲げ性、低そり性に優れた薄肉情報記録媒体の部品用成形品を得ることを課題とする。
【手続補正５】
【補正対象書類名】明細書
【補正対象項目名】０００６
【補正方法】変更
【補正の内容】
【０００６】
【課題を解決するための手段】
本発明者らは上記課題を解決すべく鋭意検討した結果、本発明に到達した。すなわち、本発明は（１）ポリカーボネート系樹脂（Ａ）９９．５〜５０重量％と液晶性樹脂（Ｂ）０．５〜５０重量％とからなる樹脂組成物からなり、ポリカーボネート系樹脂単体のガラス転移温度に対する薄肉情報記録媒体の部品用樹脂組成物のガラス転移温度の変化率が５％未満であって、最大面の投影面積が３０００ｍｍ２以下厚さ３ｍｍ以下のサイズからなる薄肉情報記録媒体の部品用成形品、（２）ポリカーボネート系樹脂（Ａ）９９．５〜５０重量％と液晶性樹脂（Ｂ）０．５〜５０重量％からなる樹脂組成物１００重量部に対し、リン酸エステルを０．１〜３０重量部配合してなる上記（１）に記載の薄肉情報記録媒体の部品用成形品、（３）ポリカーボネート系樹脂（Ａ）がフェノール性末端基（ＥP）と非フェノール性末端基（ＥN）の当量比（ＥP）／（ＥN）が１／２０以下のものを用いることを特徴とする上記（１）または（２）に請求項１記載の薄肉情報記録媒体の部品用成形品、（４）成形品厚みが０．６ｍｍ以下の部分の投影面積が全投影面積に対して２０％以上であることを特徴とする上記（１）〜（３）のいずれか記載の薄肉情報記録媒体の部品用成形品、（５）薄肉情報記録媒体のシャーシまたはフレーム、ケースである請求項１〜４のいずれか記載の薄肉情報記録媒体の部品用成形品、（６）上記（１）〜（５）のいずれかに記載の成形品が射出成形によって得られたものである薄肉情報記録媒体の部品用成形品を提供するものである。
【手続補正６】
【補正対象書類名】明細書
【補正対象項目名】００４１
【補正方法】変更
【補正の内容】
【００４１】
本発明で用いるポリカーボネート系樹脂（Ａ）と液晶性樹脂（Ｂ）の配合比は、寸法安定性と低そり性、耐折れ曲げ性のバランスの点から、（Ａ）と（Ｂ）の合計に対し、（Ａ）９９．５〜５０重量％、（Ｂ）０．５〜５０重量％、好ましくは（Ａ）９６〜６５重量％、（Ｂ）４〜３５重量％、より好ましくは（Ａ）９３〜７０重量％、（Ｂ）７〜３０重量％である。
【手続補正７】
【補正対象書類名】明細書
【補正対象項目名】００４６
【補正方法】変更
【補正の内容】
【００４６】
本発明において薄肉情報記録媒体の部品用成形品の機械強度その他の特性を付与するために充填剤を使用することが可能であり、特に限定されるものではないが、繊維状、板状、粉末状、粒状など非繊維状の充填剤を使用することができる。具体的には例えば、ガラス繊維、ＰＡＮ系やピッチ系の炭素繊維、ステンレス繊維、アルミニウム繊維や黄銅繊維などの金属繊維、芳香族ポリアミド繊維などの有機繊維、石膏繊維、セラミック繊維、アスベスト繊維、ジルコニア繊維、アルミナ繊維、シリカ繊維、酸化チタン繊維、炭化ケイ素繊維、ロックウール、チタン酸カリウムウィスカー、チタン酸バリウムウィスカー、ほう酸アルミニウムウィスカー、窒化ケイ素ウィスカーなどの繊維状、ウィスカー状充填剤、マイカ、タルク、カオリン、シリカ、炭酸カルシウム、ガラスビーズ、ガラスフレーク、ガラスマイクロバルーン、クレー、二硫化モリブデン、ワラステナイト、酸化チタン、酸化亜鉛、ポリリン酸カルシウム、グラファイトなどの粉状、粒状あるいは板状の充填剤が挙げられる。上記充填剤中、ガラス繊維、炭素繊維、マイカ、カオリンが好ましく使用される。ガラス繊維の種類は、一般に樹脂の強化用に用いるものなら特に限定はなく、例えば長繊維タイプや短繊維タイプのチョップドストランド、ミルドファイバーなどから選択して用いることができる。また、上記の充填剤は機械強度と真円性のバランスを得るために２種以上を併用して使用することもでき、例えば、ガラス繊維とマイカあるいはカオリン、ガラス繊維とガラスビーズ、炭素繊維とマイカあるいはカオリン、炭素繊維とミルドファイバーあるいはガラスフレーク等が挙げられる。なお、本発明に使用する上記の充填剤はその表面を公知のカップリング剤（例えば、シラン系カップリング剤、チタネート系カップリング剤など）、その他の表面処理剤で処理して用いることもできる。
【手続補正８】
【補正対象書類名】明細書
【補正対象項目名】００４９
【補正方法】変更
【補正の内容】
【００４９】
本発明において薄肉情報記録媒体の部品用成形品用の樹脂組成物に薄肉難燃性などの特性を付与するために下記一般式（１）で表される燐酸エステルを使用することができる。
【手続補正９】
【補正対象書類名】明細書
【補正対象項目名】００６１
【補正方法】変更
【補正の内容】
【００６１】
さらに、本発明の薄肉情報記録媒体の部品用成形品には、酸化防止剤および熱安定剤（たとえばヒンダードフェノール、ヒドロキノン、ホスファイト類およびこれらの置換体など）、紫外線吸収剤（たとえばレゾルシノール、サリシレート、ベンゾトリアゾール、ベンゾフェノンなど）、亜リン酸塩、次亜リン酸塩などの着色防止剤、滑剤、染料（たとえばニグロシンなど）および顔料（たとえば硫化カドミウム、フタロシアニンなど）を含む着色剤、滑剤および離型剤（モンタン酸およびその塩、そのエステル、そのハーフエステル、ステアリルアルコール、ステアラミドおよびポリエチレンワックスなど）、導電剤あるいは着色剤としてカーボンブラック、結晶核剤、可塑剤、難燃剤（例えばブロム化ポリスチレン、臭素化ポリフェニレンエーテル、臭素化ポリカーボネート、水酸化マグネシウム、メラミンおよびシアヌール酸またはその塩、赤燐など）、難燃助剤、摺動性改良剤（グラファイト、フッ素樹脂）、帯電防止剤などの通常の添加剤を添加して、所定の特性をさらに付与することができる。
【手続補正１０】
【補正対象書類名】明細書
【補正対象項目名】００６４
【補正方法】変更
【補正の内容】
【００６４】
本発明の薄肉情報記録媒体の部品用成形品は、通常公知の方法で製造される。例えば、ポリカーボネート系樹脂（Ａ）および液晶性樹脂（Ｂ）成分中、その他の必要な添加剤および充填材を予備混合して、またはせずに押出機などに供給して十分溶融混練することにより調製される。また、充填材を添加する場合、充填材の繊維の折損を抑制するために好ましくは、ポリカーボネート系樹脂（Ａ）、液晶性樹脂（Ｂ）および添加剤を押出機の元から投入し、充填材をサイドフィーダーを用いて押出機へ供給することにより調整される。
【手続補正１１】
【補正対象書類名】明細書
【補正対象項目名】００７０
【補正方法】変更
【補正の内容】
【００７０】
かくして得られる薄肉情報記録媒体の部品用成形品は、寸法安定性、耐折れ曲げ性、低ソリ性に優れることから、有用であり、最大面の投影面積が３０００ｍｍ２以下、厚さ３ｍｍ以下のサイズからなる成形品は、有用である。さらには本発明の成形品がその厚み０．６ｍｍ以下の部分の投影面積が全投影面積に対して２０％有するものである場合に特に有用であり、例えば、コンパクトフラッシュ（Ｒ）、MMC（MultiMedia Card）、スマートメディア、メモリースティック、ＳＤメモリーカード等のシャーシ、フレーム部材、ケースに用いられ、特に今後薄肉化が進むと思われるＳＤメモリーカードのフレームに有用である。
【手続補正１２】
【補正対象書類名】明細書
【補正対象項目名】００８３
【補正方法】変更
【補正の内容】
【００８３】
表１からも明らかなように本発明の成形品は比較例に比べ、寸法安定性、耐折れ曲げ性、低そり性に優れていることがわかる。
【手続補正１３】
【補正対象書類名】明細書
【補正対象項目名】００８４
【補正方法】変更
【補正の内容】
【００８４】
【発明の効果】
本発明の薄肉情報記録媒体の部品用成形品は、寸法安定性、耐折れ曲げ性、低そり性に優れる。